(57)【要約】  無線リソースを割り当てるための方法、コンピュータプログラム、装置およびシステムが、空間ダイバーシチ、およびセル特有の周波数帯域を利用するＴＤＭＡセルラー通信システムのために提供される。この無線リソース割り当てシステムは無線周波数帯域（３０６、３０８）をそれぞれから再利用距離内に配置された少なくとも二つの無線セル（２１４、２１６）へ割り当てるための周波数割り当てネットワーク要素（２０４）を含む。少なくとも一つの重複領域（３１０）は周波数帯域（３０６、３０８）の間に形成され、少なくとも一つの重複領域（３１０）は少なくとも二つの無線セル（２１４、２１６）の同じ送信方向における同時使用のために予約される。本発明は、それぞれから再利用距離内に配置された無線セルのための周波数再利用機能を提供する。【選択図】図２
2007522748.tif 000002
【特許請求の範囲】
【請求項１】
空間ダイバーシチを利用し、無線セルに複数の無線周波数帯域から選択されたセル特有の無線周波数帯域を割り当てるＴＤＭＡセルラー通信システムにおいて、無線リソースを割り当てるための方法であって、
無線周波数帯域を少なくとも二つの無線セルへ割り当てる段階であって、前記少なくとも二つの無線セルはそれぞれから再利用距離内に配置され、少なくとも一つの重複領域が前記無線周波数帯域の間で形成され、前記少なくとも一つの重複領域は前記少なくとも二つの無線セルの同じ送信方向における同時使用のために予約される、無線周波数帯域割り当て段階（７０２）を、備えることを特徴とする方法。
【請求項２】
無線周波数帯域を少なくとも二つの隣接無線セルに割り当てる（７０２）ことを特徴とする請求項１に記載の方法。
【請求項３】
無線周波数帯域を少なくとも二つの無線セルへ割り当て（７０２）、各無線周波数帯域は搬送波周波数を含み、前記重複領域は前記無線周波数帯域によって共有される少なくとも一つの搬送波周波数を含み、前記少なくとも一つの搬送波周波数は、前記少なくとも二つの無線セルの同じ送信方向における同時使用のために予約されることを特徴とする請求項１に記載の方法。
【請求項４】
無線周波数を少なくとも二つの無線周波数に割り当て（７０２）、前記重複領域が前記少なくとも二つの無線セルのアップリンク方向における同時使用のために予約されることを特徴とする請求項１に記載の方法。
【請求項５】
無線周波数を少なくとも二つの無線周波数に割り当て（７０２）、前記重複領域が前記少なくとも二つの無線セルのダウンリンク方向における同時使用のために予約されることを特徴とする請求項１に記載の方法。
【請求項６】
セル特有のトレーニングシーケンスを前記少なくとも二つの無線セルに割り当てるトレーニングシーケンス割り当て段階（７０４）を備えることを特徴とする請求項１に記載の方法。
【請求項７】
空間ダイバーシチを利用し、無線セルに複数の無線周波数帯域から選択されたセル特有の無線周波数帯域を割り当てるＴＤＭＡセルラー通信システムにおいて、無線リソースを割り当てるためのシステムであって、
無線周波数帯域（３０６、３０８）をそれぞれから再利用距離内に配置された少なくとも二つの無線セル（２１４、２１６）へ割り当てるための周波数割り当てネットワーク要素（２０４）を備え、
少なくとも一つの重複領域（３１０）が前記無線周波数帯域（３０６、３０８）の間で形成され、前記少なくとも一つの重複領域（３１０）は前記少なくとも二つの無線セル（２１４、２１６）の同じ送信方向における同時使用のために予約される、
ことを特徴とするシステム。
【請求項８】
前記無線セル（２１４、２１６）が隣接無線セルであることを特徴とする請求項７に記載のシステム。
【請求項９】
前記周波数割り当てネットワーク要素（２０４）は無線周波数帯域（３０６、３０８）を前記少なくとも二つの無線セル（２１４、２１６）へ割り当て、各無線周波数帯域（３０６、３０８）は搬送波周波数を含み、前記重複領域（３１０）は前記無線周波数帯域（３０６、３０８）によって共有される少なくとも一つの搬送波周波数を含み、前記少なくとも一つの搬送波周波数は前記少なくとも二つの無線セル（２１４、２１６）の同じ送信方向における同時使用のために予約されることを特徴とする請求項７に記載のシステム。
【請求項１０】
前記送信方向はアップリンク方向であることを特徴とする請求項７に記載のシステム。
【請求項１１】
前記送信方向はダウンリンク方向であることを特徴とする請求項７に記載のシステム。
【請求項１２】
更に、セル特有のトレーニングシーケンスを前記少なくとも二つの無線セル（２１４、２１６）へ割り当てるためのトレーニングシーケンス割り当てネットワーク要素（２０６）を備えることを特徴とする請求項７に記載のシステム。
【請求項１３】
コンピュータ読み取り可能な媒体に記憶されたコンピュータプログラムであって、
コンピュータプログラムは、空間ダイバーシチを利用し、無線セルに複数の無線周波数帯域から選択されたセル特有の無線周波数帯域を割り当てるＴＤＭＡセルラー通信システムにおいて、無線リソースを割り当てるためのコンピュータプロセスを実行するものであり、
前記コンピュータプロセスは無線周波数帯域を少なくとも二つの無線セルへ割り当てる段階を含み、
前記少なくとも二つの無線セルはそれぞれから再利用距離内に配置され、少なくとも一つの重複領域が前記無線周波数帯域の間で形成され、前記少なくとも一つの重複領域は前記少なくとも二つの無線セルの同じ送信方向における同時使用のために予約される、
ことを特徴とするコンピュータプログラム。
【請求項１４】
前記コンピュータプロセスが無線周波数帯域を少なくとも二つの隣接無線セルに割り当てる段階（７０２）を含むことを特徴とする請求項１３に記載のコンピュータプログラム。
【請求項１５】
前記コンピュータプロセスが無線周波数帯域を少なくとも二つの無線セルへ割り当てる段階（７０２）を含み、各無線周波数帯域が搬送波周波数を含み、前記重複領域が無線周波数帯域に共通の少なくとも一つの搬送波周波数を含み、前記少なくとも一つの搬送波周波数が前記少なくとも二つの無線セルの同じ送信方向における同時使用のために予約されることを特徴とする請求項１３に記載のコンピュータプログラム。
【請求項１６】
前記コンピュータプロセスが無線周波数帯域を少なくとも二つの無線セルへ割り当てる段階（７０２）を含み、前記重複領域が前記少なくとも二つの無線セルのアップリンク方向における同時使用のために予約されることを特徴とする請求項１３に記載のコンピュータプログラム。
【請求項１７】
前記コンピュータプロセスが無線周波数帯域を少なくとも二つの無線セルへ割り当てる段階（７０２）を含み、前記重複領域が前記少なくとも二つの無線セルのダウンリンク方向における同時使用のために予約されることを特徴とする請求項１３に記載のコンピュータプログラム。
【請求項１８】
前記コンピュータプロセスがセル特有のトレーニングシーケンスを前記少なくとも二つの無線セルへ割り当てる段階（７０４）を含むことを特徴とする請求項１３に記載のコンピュータプログラム。
【請求項１９】
空間ダイバーシチを利用し、無線セルに複数の無線周波数帯域から選択されたセル特有の無線周波数帯域を割り当てるＴＤＭＡセルラー通信システムにおいて、無線リソースを割り当てるための装置であって、
無線周波数帯域を少なくとも二つの無線セルへ割り当てる手段であって、前記少なくとも二つの無線セルはそれぞれから再利用距離内に配置され、少なくとも一つの重複領域が前記無線周波数帯域の間に形成され、前記少なくとも一つの重複領域は前記少なくとも二つの無線セルの同じ送信方向における同時使用のために予約される、割り当て手段（２０４）を備えることを特徴とする装置。
【発明の詳細な説明】
【技術分野】
【０００１】
本発明はセルラー通信システムにおける無線リソースを配置する方法、セルラー通信システムにおいて無線リソースを配置するシステム、装置、及びセルラー通信システムにおいて無線リソースを割り当てるためのコンピュータプログラムに関連する。
【背景技術】
【０００２】
ＴＤＭＡ（時分割多重アクセス）セルラー通信システムの性能を考えた場合、周波数設計はキーとなる役割を担う。周波数設計は、一般的には、無線セルに配置される無線周波数帯域を定義し、無線リンクにそれらの間の最小干渉を与えることを目的とする。最小干渉レベルは一般的には、近接セルの無線周波数帯域が互いに分離されるようなセル特有の無線周波数帯域を無線セルへ指定することで得られる。
【０００３】
ＴＤＭＡセルラー通信システムの性能は、空間ダイバーシチを用いることで、大幅に改善され得る。この空間ダイバーシチは、典型的には、マルチアンテナアレーを、インフラと移動局との間の無線信号伝送において適用することで達成される。しかし、空間ダイバーシチを考慮することは、周波数設計を複雑にする。なぜなら、リンク性能へ寄与するさらなる自由度が導かれるからである。したがって、空間ダイバーシチを適用する場合、無線リソースを配置するための改善を考慮することは有用である。
【発明の開示】
【課題を解決するための手段】
【０００４】
本発明の目的は、ＴＤＭＡセルラー通信システムにおける無線リソース割り当てのための改良された方法、システム、装置、およびコンピュータプログラムを提供することである。
【０００５】
本発明の一態様によれば、空間ダイバーシチを適用するＴＤＭＡセルラー通信システムにおける無線リソース割り当て方法が提供される。そこでは、無線セルに複数の無線周波数帯域から選択されたセル特有の無線周波数帯域が割り当てられる。この方法は無線周波数帯域を少なくとも二つの無線セルへ割り当てる。該少なくとも二つの無線セルは、お互いから再利用距離内に割り当てることを含む。少なくとも一つの重複領域は、前記無線周波数帯域間において形成され、この少なくとも一つの重複領域は、前記少なくとも二つの無線セルの同じ送信方向における同時使用のために予約される。
【０００６】
本発明の第２の態様によれば、空間ダイバーシチを適用するＴＤＭＡセルラー通信システムにおける無線リソース割り当てシステムを提供する。そこでは、無線セルに複数の無線周波数帯域から選択されたセル特有の無線周波数帯域が割り当てられる。このシステムは、無線周波数帯域をお互いから再利用距離に配置された少なくとも二つの無線セルへ割り当てるための周波数割り当てネットワーク要素を含む。少なくとも一つの重複領域は前記無線周波数帯域間において形成され、この少なくとも一つの重複領域は、前記少なくとも二つの無線セルの同じ送信方向における同時使用のために予約される。
【０００７】
本発明の第３の態様によれば、コンピュータ読み取り可能な媒体において実施されるコンピュータプログラムが提供される。このコンピュータプログラムは、空間ダイバーシチを適用するＴＤＭＡセルラー通信システムにおいて無線リソースを割り当てるためのコンピュータプロセスを実行する。そこでは、無線セルに複数の無線周波数帯域から選択されたセル特有の無線周波数帯域が割り当てられる。このコンピュータプロセスは無線周波数帯域を、少なくとも二つの無線セルへ割り当てる段階を含む。この少なくとも二つの無線セルはお互いから再利用距離内に配置され、少なくとも一つの重複領域は前記無線周波数帯域間において形成され、この少なくとも一つの重複領域は前記少なくとも二つの無線セルの同じ送信方向における同時使用のために予約される。
【０００８】
本発明のもう一つの態様によれば、空間ダイバーシチを適用し、無線セルが複数の無線周波数帯域から選択されたセル特有の無線周波数帯域に割り当てられるＴＤＭＡセルラー通信システムにおいて無線リソースを割り当てるための装置が提供される。該装置は無線周波数帯域を少なくとも二つの無線セルへ割り当てる手段を含む。該少なくとも二つの無線セルはお互いから再利用距離内に配置される。少なくとも一つの重複領域は前記無線周波数帯域間において形成され、この少なくとも一つの重複領域は、前記少なくとも二つの無線セルの同じ送信方向における同時使用のために予約される。
【０００９】
本発明の好ましい実施態様が従属請求項において記述される。
本発明の方法、システム、装置及びコンピュータプログラムはいくつもの利点を与える。本発明の好ましい実施態様においては、本発明は、お互いから再利用距離内に配置される無線セルのための周波数再利用機能を与える。この周波数再利用機能は、例えば、リンク、およびシステムレベルにおいて、最大容量を増加させ、基地局のカバーエリアを増加させ、ＴＤＭＡセルラー通信システムインフラ利用の費用効果を向上させる。
【発明を実施するための最良の形態】
【００１０】
以下において、本発明のさらなる詳細が、好ましい実施態様および添付された図面を参照することで記述される。
【００１１】
図１Ａを参照すると、ＴＤＭＡ（時分割多重アクセス）セルラー通信システムの構成の例が示される。
ＴＤＭＡセルラー通信システムとしては、例えば、ＧＳＭ（汎欧州ディジタル移動電話方式）システム、ＧＳＭ／ＥＤＧＥ（ＧＳＭ／ＧＳＭ進化型高速データレート）システム、ＧＰＲＳ（汎用パケット無線サービス）システム、Ｅ−ＧＰＲＳ（ＥＤＧＥ  ＧＰＲＳ）システム、または、ＵＳ−ＴＤＭＡ（ＵＳ時分割多重アクセス）システムが挙げられる。議論の簡単化のため、本発明の好ましい実施態様は、ＧＳＭシステムの用語を用いて記述されるが、当業者には明らかであるように本発明の範囲をＧＳＭシステムに限定するものではない。
【００１２】
この例にしたがったＴＤＭＡセルラー通信システムは、コア・ネットワーク（ＣＮ）１０２、基地局コントローラ（ＢＳＣ）１０４、コア・ネットワーク１０２に接続された外部ネットワーク（ＥＸＴ）１００、基地局（ＢＴＳ＃１、ＢＴＳ＃２）１０８、１１０、および移動局（ＭＳ＃１、ＭＳ＃２）１１６、１１８を含む。
【００１３】
コア・ネットワーク１０２は、同じ通信システム内の移動局１１６と１１８の間の回路交換方式のトラヒック、および／または、移動局１１６、１１８と外部ネットワーク１００の間の回路交換方式のトラヒックを管理するための回路交換方式のドメインを含み得る。そういった場合、外部ネットワーク１００は、例えば、公衆陸上移動網（ＰＬＭＮ）、または公衆交換移動網（ＰＳＴＮ）を含み得る。
【００１４】
コア・ネットワーク１０２は、同じ通信システム内の移動局１１６と１１８の間のパケット交換方式のトラヒック、および／または、移動局１１６、１１８と外部ネットワーク１００の間のパケット交換方式のトラヒックを管理するためのパケット交換のドメインを含み得る。そういった場合、外部ネットワーク１００は、例えば、インターネットを含むことが考えられる。
【００１５】
コア・ネットワーク１０２の詳細な構成は、当業者に知られたものであって、本発明に関連するときに記述する。
【００１６】
基地局１０８、１１０は、ＴＤＭＡセルラー通信システムのインフラのトランシーバ機能を提供する。基地局１０８、１１０のタスクは、例えば、遅延時間（ＴＡ）の計算、アップリンク測定、チャネル符号化、暗号化、復号化、周波数ホッピング、および干渉キャンセル手段を含む。基地局コントローラはコンピュータプロセスを実行するためのコンピュータ、データ及びコンピュータプログラムを格納するためのメモリ、およびユーザインターフェースを含むことが考えられる。基地局１０８、１１０の詳細な構成は、当業者に知られたものであり、本発明と関連するときに記述する。
【００１７】
基地局コントローラ１０４は基地局１０８、１１０をコントロールし、典型的には、次のタスクを実行する。セル間ハンドオーバ、周波数制御、すなわち基地局１０８、１１０および移動局１１６、１１８への無線周波数帯域割り当て、周波数ホッピングシーケンスの管理、アップリンクにおける時間遅延測定、オペレーションおよび保守インターフェースの実装、およびパワーコントロールが挙げられる。
【００１８】
移動局１１６、１１８は、無線リンク１２０，１２２を介して基地局１０８、１１０と通信するための無線変復調器を備える。
移動局１１６、１１８は、さらに、通信システムにおいて移動局１１６、１１８を識別するための識別モジュールを備えることが考えられる。移動局１１６、１１８は、さらに、アンテナ、ユーザインターフェース、干渉キャンセル手段、およびバッテリーを含むことが考えられる。移動局１１６、１１８の詳細な構成は、当業者に知られたものであり、本発明に関連するときに記述する。
【００１９】
一つの基地局１０８、１１０は、一つの無線セル１１２、１１４または複数の無線セルを取り扱うことが考えられる。各無線セル１１２、１１４は、典型的には、ＴＤＭＡセルラー通信システムに割り当てられた複数の無線周波数帯域から選択された一つのセル特有の無線周波数が割り当てられる。このセル特有の無線周波数帯域は、無線リンク１２０，１２２によって用いられる周波数幅を定義する。
【００２０】
図２を参照すると、ＴＤＭＡセルラー通信システムにおいて無線リソースを割り当てるためのシステム（ＲＲＡＳ）２００は、図３に示される無線周波数帯域３０６、３０８を無線セル２１４、２１６へ割り当てるための周波数割り当てネットワーク要素（ＦＡＮＥ）２０４を含む。
【００２１】
周波数割り当てネットワーク要素２０４は、例えば、基地局コントローラ１０４、または基地局２１０、２１２に配置され得る。
周波数割り当てネットワーク要素２０４はコンピュータおよび適切なソフトウェアを用いて実施され得る。
【００２２】
図２の例において、移動局２１８（ＭＳ＃１）は、無線セル２１４（Ｃ＃１）のカバーエリア内に配置され、基地局２１０（ＢＴＳ＃１）との無線リンク２３０を有することが考えられる。移動局（ＭＳ＃１）２１８は、基地局（ＢＴＳ＃２）２１２への干渉信号２３４を発生するかもしれない。
【００２３】
移動局２２０（ＭＳ＃２）は、無線セル２１６（ＭＳ＃２）カバーエリア内に配置され、基地局２１２（ＢＴＳ＃２）との無線リンク２３２を有することが考えられる。移動局（ＭＳ＃２）２２０は、基地局（ＢＴＳ＃１）２１０への干渉信号２３６を発生するかもしれない。
【００２４】
本発明にしたがったＴＤＭＡセルラー通信システムは空間ダイバーシチを利用し、それは、典型的には、ダイバーシチアンテナ構成を無線リンク２３０、２３２へ、基地局２１０、２１２と移動局２１８，２２０との間で適用することで実現される。ダイバーシチアンテナ構成は少なくとも二つの独立なアンテナを含み、それは物理的な距離、および／または、偏波角によって互いに分離されることが考えられる。近接するアンテナ間の物理的な距離は、典型的には無線周波数搬送波の半波長以上である。ダイバーシチアンテナ構成は当業者に知られたものであり、本発明に関連するときに記述する。
【００２５】
各独立なアンテナは、典型的には、アンテナ特有のコンバージョンチェイン（ｃｏｎｖｅｒｓｉｏｎ  ｃｈａｉｎ）に接続され、それはアンテナ無線周波数信号とベースバンドディジタル信号との間で変換を実行する。このコンバージョンチェインは送信チェインと受信チェインに分割することができる。
【００２６】
送信チェインは、典型的には、ディジタルベースバンド送信信号を無線周波数送信信号へ変換し、それはアンテナによって送信される。送信チェインの構成は当業者に知られたものであり、これに関連して詳細に述べることはない。
【００２７】
受信チェインは、典型的には、アンテナによって受信された無線周波数受信信号をディジタルベースバンド受信信号へ変換する。受信チェインの構成は、当業者に知られたものであり、これに関連して詳細に述べることはない。
【００２８】
一実施形態において、ダイバーシチアンテナ構成は、基地局２１０、２１２において配置される。そういった場合、移動局２１８、２２０は単一アンテナ又はダイバーシチアンテナ構成を利用することが考えられる。
【００２９】
図２の例においては、基地局（ＢＴＳ＃１）２１０は少なくとも二つの独立なアンテナ２２２Ａ、２２２Ｂを含み、それらは図２に示されないアンテナ特有の送信／受信チェインに接続される。基地局（ＢＴＳ＃２）２１２は少なくとも二つの独立なアンテナ２２４Ａ、２２４Ｂを含むことが考えられ、それらは図２に示されないアンテナ特有の送信／受信チェインに接続される。異なる基地局２１０、２１２は異なる数のアンテナ要素を含み得る。
【００３０】
図２の例においては、移動局（ＭＳ＃１）は単一アンテナ２２６を含み得る。この移動局（ＭＳ＃２）は単一アンテナ２２８を含み得る。
【００３１】
再利用距離２３８は従来技術において定義された従来技術の周波数設計パラメータであり、それは同じ送信方向において同じ周波数を同時に利用する無線セルの最小分離を特徴付ける。再利用距離２３８の定義は、セルラー通信システムが空間ダイバーシチを利用しないか、または、空間ダイバーシチ周波数設計における制限された方法において考えられる、従来のアイデアのものに従うことに注意されたい。従来技術に従うと、図１Ｂにおいて示される無線周波数帯域１２６、１２８のような非重複無線周波数帯域が、再利用距離２３８内で配置される無線セル１１２、１１４に割り当てられるだけであるかもしれない。
【００３２】
一つの実施形態において、無線セル２１４、２１６は、隣接した無線セルである。そういった場合、再利用距離２３８はセルサイズのオーダー（ｏｒｄｅｒ）である。
【００３３】
図３に示された例を参照すると、無線周波数帯域（帯域＃１）３０６は無線セル（Ｃ＃１）２１４に割り当てられる。無線周波数帯域（帯域＃２）３０８は、これに対して、無線セル（Ｃ＃２）２１６に割り当てられる。縦軸３０２は任意の単位の無線周波数を示す。
【００３４】
無線周波数帯域（帯域＃１）３０６、および無線周波数帯域（帯域＃２）３０８は重複し、従って、重複領域３１０を形成する。重複領域３１０は少なくとも一つの周波数コンポーネントを含み、それは、無線セル２１４、２１６に共通である。重複領域３１０が、無線セル（Ｃ＃１）２１０と無線セル（Ｃ＃２）２１２の同じ送信方向における同時使用のために予約される場合、少なくとも重複領域３１０の一部は、無線リンク２３０と無線リンク２３２のために尽くされ、それらは同じタイムスロットを用い、同じ送信方向を有する。送信方向は、実施形態によって、ダウンリンク方向または、アップリンク方向であることが考えられる。
【００３５】
無線周波数帯域（帯域＃１）３０６は搬送波周波数６Ａ、６Ｂ、６Ｃ、６Ｄ、６Ｅ、６Ｆを含むことが考えられ、それらはそれぞれから一様に離されていることが考えられる。搬送波周波数６Ａ〜６Ｆの数は無線周波数帯域（帯域＃１）３０６の要求される帯域幅３１２および搬送波周波数６Ａ〜６Ｆの間隔に依存することが考えられる。
【００３６】
無線周波数帯域（帯域＃２）３０８は搬送波周波数８Ａ、８Ｂ、８Ｃ、８Ｄ、８Ｅ、８Ｆを含むことが考えられ、それらはそれぞれから一様に離されていることが考えられる。搬送波周波数８Ａ〜８Ｆの数は無線周波数帯域（帯域＃２）３１４の要求される帯域幅３１４および搬送波周波数８Ａ〜８Ｆの間隔に依存することが考えられる。
【００３７】
搬送波周波数６Ａ〜６Ｆ及び８Ａ〜８Ｆは、隣接搬送波周波数の典型的な間隔が２００ｋＨｚであるＧＳＭシステムの搬送波周波数であることが考えられる。
【００３８】
無線周波数帯域３０６、３０８が搬送波周波数によって形成される場合、重複領域３１０は、無線周波数帯域（帯域＃１）３０６および無線周波数帯域（帯域＃２）３０８に共通する少なくとも一つの搬送波周波数を含むことが考えられる。図３の例においては、無線周波数帯域（帯域＃１）３０６の搬送波周波数６Ｄ、６Ｅ、６Ｆのグループが無線周波数帯域（帯域＃２）３０８の搬送波周波数８Ａ、８Ｂ、８Ｃのグループに、搬送波ごとに重複する。したがって、搬送波周波数６Ｄ、６Ｅ、６Ｆは、同じ送信方向において、セル（Ｃ＃１）２１４とセル（Ｃ＃２）２１６のための同時使用のために予約される。
【００３９】
周波数割り当て要素２０４は搬送波レジスタを含むことが考えられ、それは周波数割り当てのために利用可能な搬送波のリストを含む。この搬送波は搬送波特有の搬送波番号に関連付けられる。この搬送波番号は基地局２１０、２１２および移動局２１８、２２０へシグナリングされることが考えられ、それにより、リンク２３０、２３２のために要求された一つの搬送波、または複数の搬送波を割り当てることができる。
【００４０】
本発明の一つの実施形態において、システム２００は、セル特有のトレーニングシーケンスを少なくとも二つの無線セル２１４、２１６に割り当てるためのトレーニングシーケンス割り当てネットワーク要素（ＴＳＡＮＥ）２０６を含む。このセル特有のトレーニングシーケンスは、受信器が同じ周波数で同時に送信する二つの送信器を区別し、例えば、正しい送信器のためにチャネル推定を実行することを可能とする。図２を参照すると、基地局２１０および移動局２１８は、第１のトレーニングシーケンスを割り当てられることが考えられる。基地局２１２および移動局２２０は、それぞれ、第２のトレーニングシーケンスが割り当てられることが考えられ、それは第１のトレーニングシーケンスとは異なる。異なるトレーニングシーケンスの使用は、基地局２１０、２１２が、二つの移動局２１８、２２０からのトレーニングシーケンスを区別し、チャネル推定を正しい移動局２１８、２２０と関連付けることを可能とする。
【００４１】
トレーニングシーケンス割り当てネットワーク要素２０６は、基地局コントローラ１０４において、または、基地局１０８、１１０において備えられ得る。トレーニングシーケンス割り当てネットワーク要素２０６は、コンピュータ及びソフトウェアを用いて実施し得る。利用されるトレーニングシーケンス上の情報は、基地局２１０、２１２、および移動局２１８、２２０へ、既知のシグナリングチャネルと共に転送され得る。
【００４２】
図４を参照すると、ＴＤＭＡセルラー通信システムは無線セル構成４００を含むことが考えられ、それは無線セル４０２から４１８を含む。説明の簡単化のため、無線セル構成４００は多角形モデルの方法によって示されるが、当業者には明らかなように、本発明は無線セルのいかなる形状または配置に限定されるものではない。無線セル（Ｃ＃１）４０２、（Ｃ＃２）４０４、および（Ｃ＃３）４０６は、単一の基地局２１０、２１２またはセル特有の基地局２１０、２１２によって形成され得る。
【００４３】
複数の周波数が無線セル（Ｃ＃１）４０２、（Ｃ＃２）４０４、および（Ｃ＃３）４０６に割り当てられ、それらはそれぞれから再利用距離４２４内で配置される好適な場合について考察する。再利用距離４２４は、例えば球体のような再利用エリア４２８を定義し得る。この例では、セル（Ｃ＃１）４０２、（Ｃ＃２）４０４、および（Ｃ＃３）４０６は同じ再利用エリア４２８に含まれる。
【００４４】
従来技術に従えば、分離された周波数帯域のみが、無線セル（Ｃ＃１）４０２、（Ｃ＃２）４０４、および（Ｃ＃３）４０６へ、再利用エリア４２８において割り当てられる。
【００４５】
無線セル（Ｃ＃２）４０２、（Ｃ＃４）４０８、および（Ｃ＃５）４１０を含むもう一つの再利用エリア４３０は、例えば、第２の再利用距離４２６によって、無線セル構成４００内の他のどこかで定義され得る。再利用エリア内のセル（Ｃ＃２）４０４、（Ｃ＃４）４０８、および（Ｃ＃５）４１０への周波数割り当ては、検討中の再利用エリア４２８および４３０の両方に属する重複セル（Ｃ＃２）４０４の周波数割り当てを考慮することで、再利用エリア４２８に関連して記載される原理を使用して実行されることが考えられる。この示される原理を用いて、ＴＤＭＡセルラー通信システムの全体の無線セル構成４００は、複数の無線周波数を用いて提供される。
【００４６】
図５を参照すると、一つの実施形態において、無線周波数帯域（帯域＃１）５０４、（帯域＃２）５０６、および（帯域＃３）５０８は無線セル（Ｃ＃１）４０２、（Ｃ＃２）４０４、および（Ｃ＃３）４０６にそれぞれ割り当てられる。無線周波数帯域（帯域＃１）５０４、（帯域＃２）５０６、および（帯域＃３）５０８は、それぞれ周波数幅５１０、５１２、および５１４におよぶ。
【００４７】
この場合、無線周波数帯域（帯域＃１）５０４は無線周波数帯域（帯域＃２）５０６と重複し、したがって、重複領域（重複＃１）５１６を形成する。この重複領域（重複＃１）５１６は、無線セル（Ｃ＃１）４０２および無線セル（Ｃ＃２）４０４の同じ送信方向における同時使用のために予約される。
【００４８】
一つの実施形態において、無線周波数帯域（帯域＃２）５０６は無線周波数帯域（帯域＃３）５０８と重複し、したがって、第２の重複領域（重複＃２）５１８を形成する。第２の重複領域（重複＃２）５１８は、無線セル（Ｃ＃２）４０４および無線セル（Ｃ＃３）４０６の同じ送信方向における同時使用のために予約されることが考えられる。二つの重複領域５１６および５１８は、同じ送信方向における同時使用のために予約されるか、それらは非同時使用のために予約され得る。
【００４９】
図５の例は、重複領域５１６、５１８のそれぞれは、最大二つの無線周波数帯域に関連付けられる場合を示す。無線周波数帯域（帯域＃１）５０４、（帯域＃２）５０６、および（帯域＃３）５０８がアップリンク方向に割り当てられた場合、セル４０２、４０４、４０６を提供する基地局２１０、２１２は、好ましくは少なくとも二つの独立なアンテナ要素２２２Ａ、２２２Ｂ、２２４Ａ、２２４Ｂを受信において利用する。この場合、重複領域５１６、５１８のそれぞれは同じ再利用エリア４２８において動作する最大で二つの移動局２１０、２１２のための同時使用のために予約されることが考えられ、各移動局２１０、２１２はその無線リンクへ単一の送信アンテナを利用する。
【００５０】
図５の例の場合、再利用オーダー、すなわち、単一の重複領域５１６、５１８を形成する無線周波数帯域の数は、二つである。この再利用オーダーは同じ重複領域を有する無線周波数の数、すなわち、同じ周波数を使用し、同じ送信方向において同時に利用される無線リンクの数を示す。図５は、重複領域５１６、５１８が帯域幅５１０、５１２、５１４における増加をもたらし、したがって、再利用エリア４２８内において容量の改善を提供する。さらに、セルレベルおよびリンクレベルにおける最大容量が増加される。
【００５１】
図６を参照すると、無線周波数帯域（帯域＃１）６０４、（帯域＃２）６０６、および（帯域＃３）６０８が無線セル（Ｃ＃１）４０２、（Ｃ＃２）４０４、および（Ｃ＃３）４０６にそれぞれ割り当てられる。無線周波数帯域（帯域＃１）６０４、（帯域＃２）６０６、および（帯域＃３）６０８は周波数幅６１０、６１２、および６１４にそれぞれおよぶ。この場合、無線周波数帯域（帯域＃１）６０４、（帯域＃２）６０６、および（帯域＃３）６０８は重複領域６１６を形成し、それは、すべての３つの周波数帯域６０４、６０６、６０８から周波数コンポーネントを含む。重複領域６１６は、無線セル（Ｃ＃１）４０２、（Ｃ＃２）４０４、および（Ｃ＃３）４０６の同じ周波数方向において同時使用するために予約される。
【００５２】
図６の例は、重複領域６１６が３つの周波数帯域によって形成される場合を表している。無線周波数帯域（帯域＃１）６０４、（帯域＃２）６０６、および（帯域＃３）６０８がアップリンク方向において割り当てられた場合、セル４０２、４０４、４０６を提供する基地局２１０、２１２は、好ましくは、少なくとも３つの独立したアンテナ要素２２２Ａ、２２２Ｂを、受信において利用する。この場合、重複領域６１６は、再利用エリア４２８内において動作する最大３つの移動局２１０、２１２の同時使用のために予約され得る。各移動局２１０、２１２は単一送信アンテナが備えられる。
【００５３】
図６の例においては、再利用オーダーは３であり、したがって、図５において示される帯域幅５１０、５１２、５１４と比較した場合、帯域幅６１０、６１２、６１４における増加が与えられる。
【００５４】
周波数再利用オーダーは、基地局２１０、２１２および移動局２１０、２１２において利用される独立なアンテナの数に関連付けられる。周波数再利用オーダーＲ、受信器における受信アンテナ数ＮR、および送信器における送信アンテナの数ＮTを示す。採用された表記法を用いて、以下の方程式が成り立つ。
2007522748.tif 000003
【００５５】
方程式（１）は、一以上の周波数帯域３０６、３０８が同じ送信方向における同時使用のため無線セル２１４、２１６に割り当てられることを可能とするために、受信アンテナの数ＮRが送信アンテナの数ＮT以上であるべきことを示す。
【００５６】
方程式（１）は、例えば、基地局２１０、２１２においてＮR＝４、移動局２１８、２２０においてＮR＝１を伴い、最大で４つの無線周波数が同じ送信方向において同じ周波数を使用し得る。すなわち、それぞれが分離したセル２１４、２１６にある４つの移動局２１８、２１０は、サービング基地局２１０、２１２へ、同時に同じ周波数を使用することで、送信するかもしれない。ＮR＝２である場合、同じ周波数地域を共用する無線セルの数は２であり、同じ周波数で送信する移動局２１８、２１０の数は２であるかもしれない。
【００５７】
方程式（１）は、ダウンリンクの場合に適用され得る。例えば、基地局における送信に利用されるアンテナの数が２、すなわち、ＮT＝１である場合、周波数再利用オーダーを１以上とするために、移動局における独立な受信アンテナの最少数は２、すなわち、ＮR＝２である。この場合、周波数再利用オーダーは、２、すなわちＲ＝２であり、従って、二つの周波数帯域３０６、３０８の重複を許容する。すなわち、同じ再利用エリアを伴う２つの基地局２１０、２１２は同じ周波数を使用して同時に送信し得る。
【００５８】
図７を参照すると、本発明の実施形態に従う手順が記述される。
７００において、方法が開始する。
７０２において、無線周波数帯域３０６、３０８が少なくとも二つの無線セル２１４、２１６に割り当てられ、この少なくとも二つの無線セル２１４、２１６はそれぞれから再利用距離２３８内に配置され、少なくとも一つの重複領域３１０は無線周波数帯域３０６、３０８の間で形成され、この少なくとも一つの重複領域３１０が少なくとも二つの無線セル２１４、２１６の同じ送信方向における同時使用のために予約される。
７０４において、セル特有のトレーニングシーケンスが少なくとも二つの無線セル２１４、２１６に割り当てられる。
【００５９】
７０２の一つの実施形態においては、無線周波数帯域３０６、３０８は少なくとも二つの隣接無線セルに割り当てられる。
【００６０】
７０２の一つの実施形態においては、無線周波数帯域３０６、３０８は少なくとも二つの無線セル２１４、２１６に割り当てられ、各無線周波数帯域３０６、３０８は搬送波周波数を含み、重複領域３１０は無線周波数帯域３０６、３０８によって共有される少なくとも一つの搬送波周波数を含み、少なくとも一つの搬送波周波数は少なくとも二つの無線セル２１４、２１６の同じ送信方向における同時使用のために予約される。
【００６１】
７０２の一つの実施形態においては、無線周波数帯域３０６、３０８は少なくとも二つの無線セル２１４、２１６に割り当てられ、重複領域３１０が少なくとも二つの無線セル２１４、２１６のアップリンク方向において同時使用するために予約される。
【００６２】
７０２の一つの実施形態においては、無線周波数帯域３０６、３０８は少なくとも二つの無線セル２１４、２１６に割り当てられ、重複領域３１０は少なくとも二つの無線セル２１４、２１６のダウンリンク方向における同時使用のために予約される。
【００６３】
一態様においては、本発明は、図７に示され、および上述されたコンピュータプロセスを実行するためのコンピュータプログラムを提供する。
【００６４】
このコンピュータプログラムは、ＣＤ（コンパクト・ディスク）、ハードドライブ、ディスケット、および携帯メモリユニットのようなデータ記憶媒体に格納され得る。コンピュータプログラムは、さらに、電気信号を用いて、インターネットのようなデータネットワークにおいて、転送され得る。
【００６５】
本発明は添付図面に従った例を参照しながら上述されたが、本発明はそこに制限されるものではなく、添付された請求項の範囲内において様々な方法で修正され得ることは明らかである。
【図面の簡単な説明】
【００６６】
【図１Ａ】図１ＡはＴＤＭＡセルラー通信システムの構成の第１の例を示す。
【図１Ｂ】図１Ｂは従来技術に従った無線周波数帯域を無線セルへ割り与えるための例を示す。
【図２】図２はＴＤＭＡセルラー通信システムの構成の第２の例を示す。
【図３】図３は本発明の実施態様に従った無線周波数帯域を無線セルへ割り与えるための第１の例を示す。
【図４】図４は無線セル構成の例を示す。
【図５】図５は本発明の実施態様に従った無線周波数帯域を無線セルへ割り与えるための第２の例を示す。
【図６】図６は本発明の実施態様に従った無線周波数帯域を無線セルへ割り与えるためのもう一つの例を示す。
【図７】図７は本発明の実施態様に従った手順の例をフローチャート表示を用いて示す。
【図１Ａ】
2007522748.tif 000004
【図１Ｂ】
2007522748.tif 000005
【図２】
2007522748.tif 000006
【図３】
2007522748.tif 000007
【図４】
2007522748.tif 000008
【図５】
2007522748.tif 000009
【図６】
2007522748.tif 000010
【図７】
2007522748.tif 000011
【国際調査報告】
2007522748.tif 000012
2007522748.tif 000013
2007522748.tif 000014